(57)【特許請求の範囲】
【請求項１】
排気ガスの洗浄に使用して排気ガス中の固形成分を含有する液体を貯留するバッファタンクと、このバッファタンクに貯留された前記液体と前記固形成分とを分離する固液分離機と、この固液分離機により分離された前記固形成分を貯留するスラッジタンクとを備える排水処理装置において、
前記液体を前記バッファタンクに供給する供給管と、前記バッファタンクの中に貯留されている前記液体の液面に浮遊するスカムを回収する回収機構とを備えていて、
前記供給管の下端の位置が、前記バッファタンクに貯留されている前記液体の前記液面よりも下方に設定されている構成であり、
前記供給管が配置される第一区域と前記回収機構が配置される第二区域とに前記バッファタンクを分割する堰を備えていて、
前記堰が、前記液面よりも低い位置に配置される上端と、下端近傍に形成され前記第一区域から前記第二区域に前記液体を移動させる流通口とを備えていることを特徴とする排水処理装置。
【請求項２】
前記供給管の前記下端の位置が、前記液面から前記バッファタンクの底面までの水深に対して、前記液面から３０％以上９０％以下となる深さに設定されている構成である請求項１に記載の排水処理装置。
【請求項３】
前記供給管の上流側に配置されていて前記排気ガスの洗浄に使用した前記液体の圧力を降下させる減圧機構を備える請求項１または２に記載の排水処理装置。
【請求項４】
排気ガスの洗浄に使用され排気ガス中の固形成分を含有する液体をバッファタンクに貯留した後に、固液分離機で前記液体と前記固形成分とを分離させて、前記固形成分をスラッジタンクに貯留する排水処理方法において、
前記バッファタンクに貯留されている前記液体の液面よりも下方に下端の位置を設定される供給管を配置して、前記供給管を介して前記液体を前記バッファタンクに供給して、
前記液面の近傍に回収機構を配置して、この回収機構で前記液面に浮遊するスカムを回収するとともに、
前記バッファタンクを、前記供給管が配置される第一区域と前記回収機構が配置される第二区域とに分割する堰を設置して、前記堰の上端から前記液体および前記スカムを前記第一区域から前記第二区域に移動させるとともに、前記堰の下端近傍に流通口を形成してこの流通口から前記液体および前記固形成分を前記第一区域から前記第二区域に移動させることを特徴とする排水処理方法。
【請求項５】
前記供給管の前記下端の位置を、前記液面から前記バッファタンクの底面までの水深に対して、前記液面から３０％以上９０％以下となる深さに設定する請求項４に記載の排水処理方法。
【請求項６】
前記液体を前記バッファタンクに供給する前に、前記液体の圧力を降下させる請求項４または５に記載の排水処理方法。
【発明の詳細な説明】
【技術分野】
【０００１】
本発明は、排気ガスの洗浄に使用した液体を処理する排水処理装置および排水処理方法に関するものであり、詳しくは排気ガスの洗浄に使用した液体中に含まれる固形成分の回収効率を向上する排水処理装置および排水処理方法に関するものである。
【背景技術】
【０００２】
船舶の主機等から発生する排気ガスに海水を接触させて、排気ガス中の煤塵や硫化物などの固形成分を海水中に回収する排気ガス処理装置（以下、スクラバということもある）が種々提案されている（例えば特許文献１参照）。
【０００３】
特許文献１は、スクラバからの排水（以下、スクラバ排水ということがある）を遠心分離機により固形成分と液体とに分離し、固形成分をスラッジタンクに貯留し、液体を船外に排出する排気ガス処理装置を提案する。
【０００４】
スクラバ排水を遠心分離機に供給する途中で、スクラバ排水に含まれている油分が、海水と激しく混合されて乳化する場合がある。油分の乳化により発生する乳濁液（以下、スカムということがある）は、スクラバ排水中の煤塵等の固形成分を内包することがある。このスカムは高い粘性を有するクリーム状の流体であり、主に海水から成るスクラバ排水よりも比重が小さい。
【０００５】
スカムはスクラバ排水よりも比重が小さいので遠心分離機で処理した場合、スカムはスクラバ排水とともに排出されてしまっていた。つまりスカムに内包されている煤塵等の固形成分をスクラバ排水から分離して回収することができなかった。そのためスクラバ排水に含まれる煤塵等の固形成分の回収効率を向上することが従来は困難であった。
【先行技術文献】
【特許文献】
【０００６】
【特許文献１】特開２００４−０８１９３３号公報
【発明の概要】
【発明が解決しようとする課題】
【０００７】
本発明は上記の問題を鑑みてなされたものであり、その目的は排気ガスの洗浄に使用した液体中に含まれる固形成分の回収効率を向上する排水処理装置および排水処理方法を提供することにある。
【課題を解決するための手段】
【０００８】
上記の目的を達成する本発明の排水処理装置は、排気ガスの洗浄に使用して排気ガス中の固形成分を含有する液体を貯留するバッファタンクと、このバッファタンクに貯留された前記液体と前記固形成分とを分離する固液分離機と、この固液分離機により分離された前記固形成分を貯留するスラッジタンクとを備える排水処理装置において、前記液体を前記バッファタンクに供給する供給管と、前記バッファタンクの中に貯留されている前記液体の液面に浮遊するスカムを回収する回収機構とを備えていて、前記供給管の下端の位置が、前記バッファタンクに貯留されている前記液体の前記液面よりも下方に設定されている構成であり、前記供給管が配置される第一区域と前記回収機構が配置される第二区域とに前記バッファタンクを分割する堰を備えていて、前記堰が、前記液面よりも低い位置に配置される上端と、下端近傍に形成され前記第一区域から前記第二区域に前記液体を移動させる流通口とを備えていることを特徴とする。
【０００９】
本発明の排水処理方法は、排気ガスの洗浄に使用され排気ガス中の固形成分を含有する液体をバッファタンクに貯留した後に、固液分離機で前記液体と前記固形成分とを分離させて、前記固形成分をスラッジタンクに貯留する排水処理方法において、前記バッファタンクに貯留されている前記液体の液面よりも下方に下端の位置を設定される供給管を配置して、前記供給管を介して前記液体を前記バッファタンクに供給して、前記液面の近傍に回収機構を配置して、この回収機構で前記液面に浮遊するスカムを回収するとともに、前記バッファタンクを、前記供給管が配置される第一区域と前記回収機構が配置される第二区域とに分割する堰を設置して、前記堰の上端から前記液体および前記スカムを前記第一区域から前記第二区域に移動させるとともに、前記堰の下端近傍に流通口を形成してこの流通口から前記液体および前記固形成分を前記第一区域から前記第二区域に移動させることを特徴とする。
【発明の効果】
【００１０】
本発明によれば、スカムに内包される煤塵等の固形成分を回収機構により回収することができるので、排気ガスの洗浄に使用した液体中に含まれる固形成分の回収効率を向上するには有利である。また供給管の下端がバッファタンク内の液体の液面よりも下方に配置されているので、供給管から供給される液体が液面を揺動させ難くなる。液面に浮かび上がってくるスカムを回収機構で回収し易くなるので、固形成分の回収効率を向上するには有利である。
【００１１】
供給管の下端の位置が、液面からバッファタンクの底面までの水深に対して、液面から３０％以上９０％以下となる深さに設定される構成にすることができる。
【００１２】
この構成によれば供給管の下端が液面およびバッファタンクの底面から比較的離れた位置となる。供給管からバッファタンクに流れ出る液体により液面が揺動して、液面に浮かび上がったスカムが細かく分散することを抑制するには有利である。また供給管から排出されるスカムがバッファタンクの底面に衝突して細かく分散することを抑制するには有利である。スカムの分散を抑制することにより、スカムを回収し易くなるので固形成分の回収効率を向上するには有利である。
【００１３】
供給管が配置される第一区域と回収機構が配置される第二区域とにバッファタンクを分割する堰を備えていて、堰が、液面よりも低い位置に配置される上端と、下端近傍に形成され第一区域から第二区域に液体を移動させる流通口とを備えている構成にすることができる。
【００１４】
この構成によれば、堰の設置により供給管から第一区域に供給される液体の流れの影響を第二区域内の液体は受けにくくなる。第二区域の回収機構の近傍に集まったスカムが、液体の流れにより分散し難くなるので、スカムを回収し易くなる。
【００１５】
供給管の上流側に配置されていて排気ガスの洗浄に使用した液体の圧力を降下させる減圧機構を備える構成にすることができる。
【００１６】
排気ガスの洗浄に使用された液体の圧力を減圧機構で下げることにより、液体に溶解していたガスが放散して液体中に気泡が発生してスカムが生成され易くなる。積極的に発生させたスカムを回収することにより、液体中の油分の量を低下させることができる。
【図面の簡単な説明】
【００１７】
【図１】本発明の排水処理装置を例示する説明図である。
【図２】図１の供給管の近傍を拡大して例示する説明図である。
【図３】図１の堰を例示する説明図である。
【図４】排水処理装置の別の実施形態を例示する説明図である。
【図５】図４のバッファタンクの変形例を平面視で例示する説明図である。
【発明を実施するための形態】
【００１８】
以下、本発明の排水処理装置および排水処理方法を図に示した実施形態に基づいて説明する。
【００１９】
図１に例示するように本発明の排水処理装置１は、船舶等から排出される排気ガスに海水などの液体を接触させることにより、排気ガス中の煤塵や硫化物などの固形成分を液中に回収する排気ガス処理装置（以下、スクラバということがある）２に併設されている。
【００２０】
この排水処理装置１は、排気ガスの洗浄に使用して排気ガス中の固形成分を含有する液体（以下、スクラバ排水ということがある）を貯留するバッファタンク３と、バッファタンク３に貯留されている液体と固形成分とを分離する固液分離機４と、固液分離機４により分離された固形成分を貯留するスラッジタンク５とを備えている。この実施形態では、固液分離機４は遠心分離機で構成されている。
【００２１】
なおスクラバ２やバッファタンク３などを連通する配管にはポンプＰが設置されている。ポンプＰは必要な場所に適宜設置することができる。
【００２２】
バッファタンク３には、スクラバ２から排出されるスクラバ排水をバッファタンク３に供給する供給管６と、バッファタンク３に貯留されるスクラバ排水の液面に浮かぶ浮遊物を回収する回収機構７とが設置されている。この供給管６の内径は、スクラバ２から排出されるスクラバ排水で供給管６内が常に満たされた状態となる程度の大きさに設定されている。また供給管６が配置されている第一区域Ｆ１と、回収機構７が配置されている第二区域Ｆ２とにバッファタンク３の内部を分割する堰８が配置されている。
【００２３】
スクラバ２から供給管６を通ってバッファタンク３に供給されるスクラバ排水は、主に海水等の液体で構成されているが、排気ガスの洗浄により回収した煤塵や硫化物等の固形成分と、未燃燃料やシリンダオイル等の油分とを含んでいる。
【００２４】
スクラバ排水がスクラバ２からバッファタンク３に供給される過程で、この油分の乳化にともないスカムＳが発生する。スカムＳは、供給管６内やバッファタンク３内で油分と海水等が激しく撹拌されることにより発生する。このスカムＳは、クリーム状であり海水等の液体に浮く性質を有していて、煤塵等の固形成分を内包している。
【００２５】
図１に例示するように供給管６の下端６ａは、バッファタンク３内に貯留されている液体の液面９よりも下方に設定されている。スクラバ排水は、供給管６内を満たした状態でバッファタンク３内に供給されるので、バッファタンク３内の液面９に衝突することなく液体中に供給される。そのためスクラバ排水中のスカムＳが液面９と衝突して壊れて小さく分離してしまうことを抑制できる。スカムＳが比較的大きな塊の状態でバッファタンク３に供給されるので、比重が比較的小さいスカムＳを液面９に浮上させて集めやすい。
【００２６】
またバッファタンク３に供給されるスクラバ排水が液面９と衝突しないので、バッファタンク３内の液面９はほとんど波立たない。液面９に浮かび上がったスカムＳが液面９の揺動により再び液体中に引き込まれることを回避できるので、スカムＳを液面９に浮かび上がらせて集めやすい。
【００２７】
堰８の上端８ｂは液面９よりも下方に設定されているので、液面９に浮かび上がったスカムＳは第二区域Ｆ２の方に徐々に移動していく。バッファタンク３内に堰８が設置されているので、第二区域Ｆ２内の液体の移動は限定的となり、第二区域Ｆ２において液面９はほとんど揺動しない。
【００２８】
第二区域Ｆ２において液面９がほとんど揺動しないので、スカムＳを回収機構７の周囲に集めやすくなる。回収機構７の周囲に集まったスカムＳは、回収機構７により回収されスラッジタンク５に送られる。
【００２９】
本実施形態の回収機構７は、バッファタンク３内の液体の液面９に浮かんでいるスカムＳをかき集めるアーム部と、このアーム部でかき集めたスカムＳを回収する回収部とを備えるアーム式スカム回収装置で構成することができる。回収機構７の構成は上記に限定されず、液面９に浮かんでいるスカムＳを回収してスラッジタンク５に送る機能を有していれば他の構成を採用してもよい。回収機構７は、例えばスカムスキマ―や、所定の高さに開口部を設定してこの開口部内に流れ込んでくるスカムＳを回収するオーバーフロー式配管などで構成してもよい。
【００３０】
回収機構７は、連続的にスカムＳを回収する構成にしてもよいが、例えば２０分など所定の時間が経過するごとに間欠的にスカムＳを回収する構成にすることが望ましい。回収機構７により間欠的にスカムＳを回収した方が、回収物全体に対するスカムＳの割合が大きくなり、スカムＳとともにスラッジタンク５に送られてしまう余分な液体の量を抑制することができる。設置するスラッジタンク５の容積を小さくするには有利である。
【００３１】
またスラッジタンク５内またはスラッジタンク５に回収される過程で、スカムＳおよびスラッジに消泡剤を添加して減容化させる構成とすることができる。
【００３２】
バッファタンク３に供給されたスクラバ排水は、主に堰８の下端８ａを通って第一区域Ｆ１から第二区域Ｆ２に移動する。スクラバ排水に含まれている固形成分の内、スカムＳに取り込まれなかった固形成分はバッファタンク３内で沈殿しつつ、スクラバ排水とともに第二区域Ｆ２に移動していく。
【００３３】
バッファタンク３内のスクラバ排水の大部分は、第二区域Ｆ２の中層から抜き出されてスクラバ２に送られて、スクラバ２とバッファタンク３とを循環する。バッファタンク３の底面３ａからスクラバ排水の一部は抜き出されて、遠心分離機等の固液分離機４に送られる。固液分離機４はスクラバ排水から固形成分を分離して、例えば２０分など所定の時間が経過するごとに間欠的に固形成分をスラッジタンク５に排出する。固液分離機４で固形成分を取り除かれたスクラバ排水は三方弁１０を経由してバッファタンク３の第二区域Ｆ２に戻される。固液分離機４からバッファタンク３に戻されるスクラバ排水は第一区域Ｆ１に戻してもよい。
【００３４】
排気ガスに含まれる水蒸気等によりバッファタンク３内の液体量が増加することがある。このような場合は、固液分離機４の下流側に配置されている三方弁１０を切り替えて、バッファタンク３ではなく船外に液体を排出する。
【００３５】
このときバッファタンク３とは別のブリードタンクを設置して、このブリードタンクに増加した液体を貯留する構成にしてもよい。この構成によれば、ブリードタンクと固液分離機４の間で液体を例えば３〜１０分など所定時間循環させて、液体中から固形成分を取り除いた後に、三方弁１０を介して船外に液体を排出することができる。船外に排出される液体中の固形成分の量を抑制するには有利である。
【００３６】
バッファタンク３内に回収機構７を設置する構成により、スカムＳに内包される固形成分を回収してスラッジタンク５に送ることができる。スカムＳに内包されていたため従来遠心分離機で回収できなかった固形成分を回収できるので、固形成分の回収効率を向上することができる。
【００３７】
供給管６の下端６ａが液体中に配置されているので、スクラバ排水中に含まれているスカムＳを壊さず比較的大きな塊の状態でバッファタンク３内に移動させることができる。スカムＳの塊が比較的大きいため、スカムＳを比較的短い時間で液面９に浮上分離させる
ことができる。これにより第二区域Ｆ２から固液分離機４やスクラバ２に送る液体中にスカムＳが含まれる可能性を低減できる。またスカムＳの塊が比較的大きいと、回収機構７により回収される回収物全体に対するスカムＳの割合を大きくできるので、スラッジタンク５に送られてしまう余分な液体の量を抑制することができる。
【００３８】
固液分離機４にスカムＳが送られることがほとんどないので、固液分離機４が遠心分離機で構成されている場合、遠心分離機の分離効率を向上することができる。本明細書において分離効率とは以下の式１で定義される割合をいう。
分離効率（％）＝（スクラバ排水のＳＳ濃度−処理水のＳＳ濃度）／（スクラバ排水のＳＳ濃度）×１００・・・式１
【００３９】
ここでスクラバ排水のＳＳ濃度は固液分離機４に供給される直前のスクラバ排水における懸濁物質（固形成分）の重量濃度（ｍｇ／Ｌ）を示し、処理水のＳＳ濃度は固液分離機４から排出されて三方弁１０側に送られる液体における懸濁物質（固形成分）の重量濃度（ｍｇ／Ｌ）を示している。
【００４０】
遠心分離機に供給されるスクラバ排水にスカムＳが含まれていた従来は、スカムＳが遠心分離機で分離されずに処理水とともに排出されてしまっていた。これに対して本実施形態では、遠心分離機に供給されるスクラバ排水にほとんどスカムＳが含まれていないので、固形成分のほとんどを遠心分離機により分離することができ、分離効率を向上することができる。
【００４１】
スカムＳを回収機構７で回収する構成により、スカムＳが船外に排出されることを抑制できる。またスクラバ排水中に含まれる油分をスカムＳとして回収するので、スクラバ排水中の油分の量を減少させることができる。スクラバ排水を船外に排出する際に、この液体中に含まれる油分の量を抑制するには有利である。
【００４２】
図２に例示するように供給管６の下端６ａの位置は、液面９からバッファタンク３の底面３ａまでの水深ｈ０に対して、液面９から供給管６の下端６ａまでの水深ｈ１が３０％以上９０％以下となる位置に設定することが望ましい。つまり３０≦（ｈ１／ｈ０）×１００≦９０となる位置に下端６ａを設定する。さらに望ましくは底面３ａの水深ｈ０に対して下端６ａの水深ｈ１を、５０％以上７０％以下の範囲に設定する。
【００４３】
この構成によれば、供給管６の下端６ａが液面９から比較的離れた位置となるので、スクラバ排水の供給時に液面９が揺動することを抑制して、液面９に浮いたスカムＳを塊の状態で維持するには有利である。また供給管６の下端６ａがバッファタンク３の底面３ａから比較的離れた位置となるので、供給管６から排出されるスカムＳの塊が底面３ａに衝突して細かく分散してしまうことを抑制できる。
【００４４】
底面３ａの水深ｈ０に対して下端６ａの水深ｈ１が３０％より小さいと、即ち供給管６の下端６ａが液面９に近い位置にあると、供給管６から吐出されるスクラバ排水の影響により液面９が揺動して、液面９に浮かんでいるスカムＳが液体中に引き込まれる可能性がある。スカムＳが液体中に引き込まれると、回収機構７で回収しにくくなるのでスカムＳの回収効率が低下してしまう。
【００４５】
またスカムＳの塊が液中に引き込まれる際に、その衝撃で細かく分散してしまいスカムＳが回収機構７で回収しにくくなる。液体中で細かく分散しているスカムＳは、浮き上りにくくなるのでバッファタンク３から固液分離機４等に排出するスクラバ排水中にスカムＳが混入する可能性がある。
【００４６】
一方で底面３ａの水深ｈ０に対して下端６ａの水深ｈ１が９０％より大きいと、即ち供給管６の下端６ａが底面３ａに近い位置にあると、スクラバ排水とともに供給管６から排出されるスカムＳの塊が底面３ａに衝突して、細かく分散してしまう可能性がある。
【００４７】
図３に例示するように堰８の上端８ｂは液面９よりも低い位置に設定されている。また堰８の下端８ａにはスクラバ排水を第一区域Ｆ１から第二区域Ｆ２に移動させる流通口１１が形成されている。第一区域Ｆ１で沈殿した固形成分はスクラバ排水とともに第二区域Ｆ２に流通口１１を通って移動して、その後、固液分離機４に送られる。
【００４８】
この実施形態では堰８の下端８ａの一部に流通口１１を形成しているが、堰８の下端８ａの全体がバッファタンク３と接触しない状態に構成してもよい。つまり堰８の下端８ａとバッファタンク３の底面３ａとの間に形成されるすき間全体が流通口１１となる。
【００４９】
流通口１１はこの構成に限定されず、スクラバ排水が第一区域Ｆ１から第二区域Ｆ２に移動できればよい。例えば図３に破線で示すように下端８ａよりも上方となる位置に流通口１１を形成してもよい。この場合は第一区域Ｆ１で沈殿した固形成分は第二区域Ｆ２に移動しにくいので、定期的に第一区域Ｆ１から沈殿した固形成分を取り除く必要がある。例えば第一区域Ｆ１の底面と固液分離機４とを連通する配管を設置して、第一区域Ｆ１で沈殿した固形成分を固液分離機４に送る構成にしてもよい。
【００５０】
堰８の設置により、供給管６から第一区域Ｆ１に供給されるスクラバ排水の流れの影響を第二区域Ｆ２内のスクラバ排水は受けにくくなる。つまり第二区域Ｆ２内の液体は静置された状態に近くなるので、スカムＳを液面９に浮上させるとともに固形成分を沈殿させ易くなる。第二区域Ｆ２の回収機構７の近傍に集まったスカムＳが、スクラバ排水の流れにより分散し難くなるので、回収機構７でスカムＳを効率よく回収することができる。
【００５１】
図３に例示する堰８の側端はバッファタンク３の内壁面と接触する状態に構成されているが、堰８の側端とバッファタンク３の内壁面との間にすき間を形成して、このすき間を流通口１１として利用してもよい。このすき間を介して第一区域Ｆ１から第二区域Ｆ２にスクラバ排水が移動することができる。
【００５２】
本発明において堰８は必須の要件ではない。そのため堰８を設置していない構成であっても本発明の効果を一定は得ることはできる。一方で供給管６から供給されるスクラバ排水の流量や、バッファタンク３の大きさによっては、供給されるスクラバ排水がバッファタンク３内に大きな流れを発生させない場合がある。このようはときは、堰８がなくても本発明の効果を十分に得ることができる。
【００５３】
スクラバ２が、例えば０．４ＭＰａなど高圧で排気ガスが循環する流路に海水等の洗浄水を供給する構成である場合は、スクラバ排水は０．４ＭＰａなど高圧の状態でスクラバ２から排出される。このようなとき、図１に破線で示すように供給管６の上流側に減圧機構１２を設置してもよい。この減圧機構１２により、０．４ＭＰａのスクラバ排水を例えば０．１ＭＰａに減圧させた後に、バッファタンク３に供給する。この減圧機構１２を設置する位置は上記に限定されず、スクラバ２とバッファタンク３との間であればよく、例えば減圧機構１２を供給管６内に組み込む構成としてもよい。
【００５４】
高圧のスクラバ排水を減圧機構１２で減圧すると、液体中に溶解していたガスが放散して液体中に気泡が発生する。液体に対するガスの溶解量は圧力が低いほど減少するので、減圧により高圧のスクラバ排水中で溶解できなくなったガスが気泡として発生する。気泡が発生するとスカムＳが生成され易くなる。つまり積極的にスカムＳを発生させることが
できる。
【００５５】
液体中の油分をスカムＳとして回収できるので、スクラバ排水中の油分の量を低下させることができ、船外に排出されるスクラバ排水に含まれる油分の量を抑制するには有利である。
【００５６】
スクラバ２が、例えば大気圧程度の排気ガスが循環する流路に洗浄水を供給する構成である場合は、スクラバ２から排出されるスクラバ排水も大気圧程度となる。このようなときは減圧機構１２を設置する必要はない。
【００５７】
図４に例示するようにバッファタンク３内に第三区域Ｆ３および第四区域Ｆ４を形成してもよい。この実施形態では第二区域Ｆ２と第三区域Ｆ３との間に第二堰１３を配置している。第二堰１３は、上端がバッファタンク３の内面に固定されている。第二堰１３の上端は閉じた状態となるので、スカムＳが第二区域Ｆ２から第三区域Ｆ３に移動することはない。第二堰１３は下端近傍に流通口１１が形成されている。第三区域Ｆ３と第四区域Ｆ４との間には前述と同様の堰８が設置されている。バッファタンク３からスクラバ２に液体を供給する配管は、第四区域Ｆ４の底部に連結されている。
【００５８】
ほとんどのスカムＳは、第一区域Ｆ１および第二区域Ｆ２で液面９に浮上して、回収機構７を経由してスラッジタンク５に回収される。またほとんどの固形成分は、第一区域Ｆ１および第二区域Ｆ２で沈殿して、第二区域Ｆ２の底面から固液分離機４を経由してスラッジタンク５に回収される。
【００５９】
第二堰１３を設置した構成により、第三区域Ｆ３および第四区域Ｆ４は、供給管６から供給されるスクラバ排水による流れの影響をほとんど受けない。つまり液体は比較的静かな状態となるので、液体中にわずかに残っているスカムＳを液面９に浮上させて、固形成分を沈殿させるには有利である。
【００６０】
第四区域Ｆ４の液体中にはスカムＳおよび固形成分がほとんど含まれてない状態となる。つまり比較的きれいな状態の液体を第四区域Ｆ４の底面からスクラバ２に供給できるので、スクラバ２における排気ガスの洗浄を効率的に行なうことができる。
【００６１】
スクラバ２に供給する液体を第四区域Ｆ４の底面から取り出す構成により、第四区域Ｆ４まで移動した固形成分が堆積することを抑制できる。第四区域Ｆ４まで固形成分が移動したとしてもその量はわずかであるため、この固形成分がスクラバ２に送られる液体中に含まれていても何ら影響はない。
【００６２】
わずかではあるが第四区域Ｆ４までスカムＳが移動する可能性はある。このスカムＳを第四区域Ｆ４から取り除くために、第四区域Ｆ４の液面９の近傍の液体を第一区域Ｆ１に戻す回収管１４を設置してもよい。
【００６３】
固液分離機４から排出される液体は、固形成分が取り除かれて比較的きれいな状態であるため、三方弁１０を経由して第三区域Ｆ３または第四区域Ｆ４に戻す構成とすることが望ましい。
【００６４】
図４に例示するように第一区域Ｆ１、第二区域Ｆ２、第三区域Ｆ３および第四区域Ｆ４を順番に一列に並べる構成としてもよいが、図５に例示するように第一区域Ｆ１および第二区域Ｆ２を、第三区域Ｆ３および第四区域Ｆ４と平面視で並列となる状態に配置して、第二区域Ｆ２と第三区域Ｆ３とが隣り合う状態に構成してもよい。尚、図５においてはスクラバ排水の移動方向を矢印で示している。
【００６５】
この構成によれば、バッファタンク３内のスクラバ排水は、平面視において一直線ではなく略Ｕ字型に流れる。これにより第三区域Ｆ３および第四区域Ｆ４は供給管６から供給されるスクラバ排水の流れの影響をさらに受けにくくなるので、液体中のスカムＳおよび固形成分を浮上または沈殿させるには有利である。
【００６６】
本発明の排水処理装置１は、船舶等に設置して利用する場合に限らず、工場等でも利用することができる。
【符号の説明】
【００６７】
１     排水処理装置
２     スクラバ
３     バッファタンク
３ａ   （バッファタンクの）底面
４     固液分離機
５     スラッジタンク
６     供給管
６ａ   （供給管の）下端
７     回収機構
８     堰
８ａ   （堰の）下端
８ｂ   （堰の）上端
９     液面
１０   三方弁
１１   流通口
１２   減圧機構
１３   第二堰
１４   回収管
Ｐ     ポンプ
Ｓ     スカム
Ｆ１   第一区域
Ｆ２   第二区域
Ｆ３   第三区域
Ｆ４   第四区域
ｈ０   （底面の）水深
ｈ１   （供給管の下端の）水深
【図１】
0006653215.tif 000002
【図２】
0006653215.tif 000003
【図３】
0006653215.tif 000004
【図４】
0006653215.tif 000005
【図５】
0006653215.tif 000006